(57)【要約】      （修正有）【課題】空気吹付ユニットにノズルユニットを着脱可能にすると共に、測定光学系の主光軸からのノズルの軸方向のずれを防止する眼科装置を提供すること。【解決手段】圧平時の角膜Ｅｃの変形状態に基づいて眼圧値を測定する眼科装置１０であって、吐出口から空気を噴射するノズルを有すると共に、角膜Ｅｃに空気を吹き付ける空気吹付ユニット３０に着脱可能なノズルユニット４０と、ノズルの吸込口に対向する位置に設けられた透光性を有する光学フィルタと、ノズル及び光学フィルタが主光軸上に配置されると共に角膜Ｅｃの変形状態を検出する角膜変形検出系と、を備えている。そして、ノズルユニット４０は、ノズルの軸方向を角膜変形検出系の主光軸に一致させる位置決め機構を介して空気吹付ユニット３０に装着される。【選択図】図１
2022002677.tif 000002
【特許請求の範囲】
【請求項１】
圧平した角膜の変形状態に基づいて被検眼の眼圧値を測定する眼科装置であって、
前記角膜に空気を吹き付ける空気吹付ユニットと、
前記被検眼に向けられた一端から前記空気を噴射するノズルを有し、前記空気吹付ユニットに着脱可能なノズルユニットと、
前記ノズルの他端に対向する位置に設けられた透光性を有する光学部材と、
前記ノズル及び前記光学部材が主光軸上に配置されると共に前記角膜の変形状態を検出する測定光学系と、を備え、
前記ノズルユニットは、前記ノズルの軸方向を前記主光軸に一致させる位置決め機構を介して前記空気吹付ユニットに装着される
ことを特徴とする眼科装置。
【請求項２】
請求項１に記載された眼科装置において、
前記ノズルユニットは、前記ノズルと、前記ノズルが中心を貫通するノズル保持部材と、を有し、
前記空気吹付ユニットは、前記空気を貯留すると共に前記光学部材が取り付けられたチャンバーと、前記チャンバーに形成されて前記主光軸上に位置するノズル取付開口と、を有し、
前記位置決め機構は、前記ノズル取付開口に装着されると共に軸方向が前記主光軸に一致する筒状のコネクタ部と、軸方向に延びるスリットが形成されたスリーブと、を備え、前記スリーブの一方の開口に前記コネクタ部が挿入され、前記スリーブの他方の開口に前記ノズル保持部材が挿入されることにより、前記ノズルの軸方向を前記主光軸に一致させる
ことを特徴とする眼科装置。
【請求項３】
請求項２に記載された眼科装置において、
前記ノズル保持部材は、ネジ部材を介して前記空気吹付ユニットに固定される
ことを特徴とする眼科装置。
【請求項４】
請求項１に記載された眼科装置において、
前記ノズルユニットは、前記ノズルと、前記ノズルが中心を貫通するノズル保持部材と、を有し、
前記空気吹付ユニットは、前記空気を貯留すると共に前記光学部材が取り付けられたチャンバーと、前記チャンバーに形成されて中心が前記主光軸上に位置するノズル取付開口と、を有し、
前記位置決め機構は、前記ノズル保持部材の外周面に形成された第１テーパ面と、前記ノズル取付開口の内周面に形成された第２テーパ面とを備え、前記第１テーパ面と前記第２テーパ面とが接触することにより、前記ノズルの軸方向を前記主光軸に一致させる
ことを特徴とする眼科装置。
【請求項５】
請求項４に記載された眼科装置において、
前記ノズル保持部材は、ネジ部材を介して前記ノズル取付開口に固定される
ことを特徴とする眼科装置。
【請求項６】
請求項１に記載された眼科装置において、
前記ノズルユニットは、前記ノズルと、前記ノズルが中心を貫通するノズル保持部材と、を有し、
前記空気吹付ユニットは、前記空気を貯留すると共に前記光学部材が取り付けられたチャンバーと、前記チャンバーに形成されて前記主光軸上に位置するノズル取付開口と、を有し、
前記位置決め機構は、前記ノズル取付開口に装着されると共に、軸方向が前記主光軸に一致し先端に向かって細くなる通路から複数のチャック爪が出没する把持部材を備え、前記複数のチャック爪によって前記ノズル保持部材の周縁部を把持することにより、前記ノズルの軸方向を前記主光軸に一致させる
ことを特徴とする眼科装置。
【請求項７】
請求項１に記載された眼科装置において、
前記ノズルユニットは、前記ノズルと、前記ノズルが中心を貫通する円筒状のノズル保持部材と、を有し、
前記空気吹付ユニットは、前記空気を貯留すると共に前記光学部材が取り付けられたチャンバーと、前記チャンバーに形成されて前記主光軸上に位置すると共に前記ノズルユニットが差し込まれる円形のノズル取付開口と、を有し、
前記ノズル保持部材は、前記ノズル取付開口に臨む外周面に係合部が形成され、
前記ノズル取付開口は、前記ノズルユニットが差し込まれた際、前記係合部が係合する被係合部が、前記ノズル保持部材に臨む内周面に形成されている
ことを特徴とする眼科装置。
【請求項８】
請求項１に記載された眼科装置において、
前記空気吹付ユニットの内部と、前記ノズルユニットの表面と、前記ノズルの内周面と、前記光学部材のノズル対向面と、の少なくともいずれかは、抗菌性を有する材質によってコーティングされている
ことを特徴とする眼科装置。
【発明の詳細な説明】
【技術分野】
【０００１】
本発明は、被検眼の眼圧値を測定する眼科装置に関するものである。
【背景技術】
【０００２】
従来から、被検眼の角膜に向けて円筒状のノズルから空気を吹き付け、被検眼の角膜に投影された指標光の反射光を受光して得られた受光信号に基づき、被検眼の眼圧値を測定する眼科装置が知られている（例えば、特許文献１参照）。
【先行技術文献】
【特許文献】
【０００３】
【特許文献１】特許第５１７９８９４号公報
【発明の概要】
【発明が解決しようとする課題】
【０００４】
ところで、被検眼に空気を吹き付けて眼圧値を測定する眼科装置では、吹き付けられた空気によって涙等の分泌物が飛散し、ノズルから空気吹付ユニット内に入り込むことがある。ここで、測定光学系の主光軸上に空気吹付ユニットを配置し、透光性を有する光学部材によって測定光が透過する部分を形成した場合、空気吹付ユニットに入り込んだ分泌物でこの光学部材が汚れて測定に影響を与えることが考えられる。
【０００５】
そこで、ノズルを空気吹付ユニットから取り外し、光学部材の内側面を清掃したいという要求がある。しかしながら、ノズルは、空気吹付ユニットに対して、軸方向が測定光学系の主光軸に一致するように取り付けられている。このため、ノズルの着脱に伴ってノズルの軸方向が主光軸からずれるおそれがあり、ノズルを取り外し可能にすることが難しいという問題がある。
【０００６】
本発明は、上記問題に着目してなされたもので、ノズルユニットを空気吹付ユニットに対して着脱可能にすると共に、装着時に測定光学系の主光軸からノズルの軸方向がずれることを防止できる眼科装置を提供することを目的とする。
【課題を解決するための手段】
【０００７】
上記目的を達成するため、本発明は、圧平した角膜の変形状態に基づいて被検眼の眼圧値を測定する眼科装置であって、前記角膜に空気を吹き付ける空気吹付ユニットと、前記被検眼に向けられた一端から前記空気を噴射するノズルを有し、前記空気吹付ユニットに着脱可能なノズルユニットと、前記ノズルの他端に対向する位置に設けられた透光性を有する光学部材と、前記ノズル及び前記光学部材が主光軸上に配置されると共に前記角膜の変形状態を検出する測定光学系と、を備え、前記ノズルユニットは、前記ノズルの軸方向を前記主光軸に一致させる位置決め機構を介して前記空気吹付ユニットに装着される。
【発明の効果】
【０００８】
よって、本発明の眼科装置では、ノズルユニットを空気吹付ユニットに対して着脱可能にすると共に、装着時にノズルの軸方向が測定光学系の主光軸からずれることを防止できる。
【図面の簡単な説明】
【０００９】
【図１】実施例１の眼科装置の構成を模式的に示す説明図である。
【図２】実施例１の眼科装置の眼圧測定部の光学的構成を示す説明図である。
【図３】実施例１の眼科装置のノズルユニットを示す断面図である。
【図４】実施例１の眼科装置のノズルユニットを示す斜視図である。
【図５】実施例１の眼科装置のノズルユニットの装着状態を示す断面図である。
【図６】実施例１の眼科装置のコネクタ部を示す斜視図である。
【図７Ａ】実施例１の眼科装置のスリーブを示す斜視図である。
【図７Ｂ】実施例１の眼科装置のスリーブの変形例を示す斜視図である。
【図８Ａ】実施例１のノズルユニットの固定構造の第１変形例を示す断面図である。
【図８Ｂ】実施例１のノズルユニットの固定構造の第２変形例を示す断面図である。
【図９】実施例１の眼科装置の位置決め機構の第１変形例を示す分解斜視図である。
【図１０】図９に示す第１変形例の位置決め機構を示す分解断面図である。
【図１１】図９に示す第１変形例の位置決め機構を示す断面図である。
【図１２】実施例１の眼科装置の位置決め機構の第２変形例を示す断面図である。
【図１３】実施例２の眼科装置の空気吹付ユニットを示す説明図である。
【発明を実施するための形態】
【００１０】
以下、本発明の眼科装置を実施するための形態を、図面に示す実施例１及び実施例２に基づいて説明する。
【００１１】
（実施例１）
実施例１の眼科装置１０は、図１に示すように、被検眼Ｅの眼圧値を測定する非接触式の眼圧測定部１４を備える眼科装置である。この眼科装置１０は、ベース１１と、ベース１１に設けられた駆動部１２と、駆動部１２によって支持された装置本体部１３と、を有している。装置本体部１３の内部には眼圧測定部１４が設けられ、装置本体部１３の外側には表示部１５と、顎受部１６と、額当部１７と、が設けられている。
【００１２】
駆動部１２は、Ｙ軸駆動部分１２ａと、Ｚ軸駆動部分１２ｂと、Ｘ軸駆動部分１２ｃと、を有している。Ｙ軸駆動部分１２ａは、装置本体部１３を上下方向（Ｙ軸方向）へ移動させる。Ｚ軸駆動部分１２ｂは、装置本体部１３を前後方向（Ｚ軸方向（図１を正面視して左右方向））へ移動させる。Ｘ軸駆動部分１２ｃは、装置本体部１３を左右方向（Ｘ軸方向（図１の紙面に直交する方向））へと移動させる。すなわち、装置本体部１３は、この駆動部１２によって、ベース１１に対して上下方向、前後方向、それらに直交する左右方向に移動可能である。
【００１３】
表示部１５は、液晶ディスプレイ等によって形成され、被検眼Ｅの前眼部等の画像や眼圧値の測定結果等を表示する。この表示部１５は、装置本体部１３に回転自在に支持されており、例えば、表示面を被検者側に向ける等、表示面の向きを変更できる。また、表示部１５にタッチパネルの機能を搭載し、眼圧測定部１４を用いて測定を行うための操作や、手動による装置本体部１３の移動操作等を可能としてもよい。なお、測定を行うための操作は、装置本体部１３に設けた測定スイッチの操作によって行ってもよい。さらに、装置本体部１３を移動するための操作は、ベース１１等に設けたコントロールレバーや移動操作スイッチの操作によって行ってもよい。
【００１４】
顎受部１６及び額当部１７は、ベース１１に固定され、眼圧値の測定時等に装置本体部１３に対して被検者の顔の位置を固定するものである。顎受部１６及び額当部１７によって被検者の顔を固定した状態で駆動部１２を駆動することで、装置本体部１３は、被検眼Ｅに対して移動する。なお、顎受部１６は、被検者が顎を載せる箇所となり、額当部１７は、被検者が額を宛がう箇所となる。
【００１５】
実施例１の眼科装置１０では、表示部１５と顎受部１６及び額当部１７が、装置本体部１３を挟んだ両側に設けられており、通常の使用時において、表示部１５が検者の側となり、顎受部１６及び額当部１７が被検者の側となる。また、装置本体部１３は、駆動部１２により、ベース１１に対して移動することで、顎受部１６と額当部１７とにより固定された被検眼Ｅ（被検者の顔）に対して移動することになる。
【００１６】
さらに、図１では省略しているが、眼科装置１０は、ベース１１から駆動部１２を経て装置本体部１３までの部分が、装置全体の外形形状を形作るカバー部材により覆われている。また、図１では、駆動部１２において、Ｙ軸駆動部分１２ａとＺ軸駆動部分１２ｂとＸ軸駆動部分１２ｃとをＹ軸方向に積層して示している。ここで、各駆動部分（Ｙ軸駆動部分１２ａ、Ｚ軸駆動部分１２ｂ、Ｘ軸駆動部分１２ｃ）は、完全にＹ軸方向に分割されて構成されているものではなく、Ｙ軸方向に直交する方向で見ると各部が互いに重なり合うように構成されている。
【００１７】
眼圧測定部１４は、被検眼Ｅの角膜Ｅｃに空気を吹き付けて圧平し、圧平したときの角膜Ｅｃの変形状態に基づいて被検眼Ｅの眼圧値を測定する。この眼圧測定部１４は、図２に示すように、検出部２０と、空気吹付ユニット３０と、ノズルユニット４０と、演算部１４ａ（図１参照）と、を有している。
【００１８】
ここで、空気吹付ユニット３０にはノズルユニット４０が着脱可能に取り付けられ、検出部２０と被検眼Ｅとの間に配置される。また、検出部２０によって得られた各種の検出結果は、演算部１４ａに入力される。
【００１９】
検出部２０は、図２に示すように、前眼部観察系２１と、ＸＹアライメント視標投影系２２と、固視標投影系２３と、ＸＹアライメント検出系２４と、角膜変形検出系２５（測定光学系）と、を有している。なお、検出部２０は、スリット光束を角膜Ｅｃに投影するスリット投影系や、角膜表面や角膜裏面で反射した光を受光する受光光学系、検出部２０のＺ方向のアライメントを行うためのＺアライメント視標投影系等を含んでいてもよい。
【００２０】
前眼部観察系２１は、ハーフミラー２１ａと、対物レンズ２１ｂと、ハーフミラー２１ｃ、２１ｄと、ＣＣＤイメージセンサ２１ｅと、図示しない複数の前眼部照明光源と、によって構成されている。前眼部照明光源以外の各部材（ハーフミラー２１ａ、対物レンズ２１ｂ、ハーフミラー２１ｃ、２１ｄ、ＣＣＤイメージセンサ２１ｅ）は、光軸Ｏ１上に配置されている。
【００２１】
この前眼部観察系２１では、被検眼Ｅの左右位置に配置された複数の前眼部照明光源によって角膜Ｅｃを直接照明する。角膜Ｅｃによって反射した前眼部照明光源の照明光は、ハーフミラー２１ａを通過した後、対物レンズ２１ｂにより集束される。この集束光は、ハーフミラー２１ｃ、２１ｄを順に透過してＣＣＤイメージセンサ２１ｅの受光面に投影される。演算部１４ａは、ＣＣＤイメージセンサ２１ｅによって検出された投影像に基づいて、被検眼Ｅの前眼部像を撮影する。なお、角膜Ｅｃによって反射した照明光は、後述するノズルユニット４０のノズル４１の内外及びガラス板４３と、空気吹付ユニット３０の光学フィルタ３５と、を順に透過する。
【００２２】
ＸＹアライメント視標投影系２２は、アライメント用光源２２ａと、集光レンズ２２ｂと、開口絞り２２ｃと、ピンホール板２２ｄと、赤外光を反射させ、可視光を透過させるダイクロイックミラー２２ｅと、投影レンズ２２ｆと、によって構成されている。ここで、ダイクロイックミラー２２ｅ及び投影レンズ２２ｆは、ハーフミラー２１ａにより光軸Ｏ１から分岐された光軸上に配置されている。また、アライメント用光源２２ａ、集光レンズ２２ｂ、開口絞り２２ｃ、ピンホール板２２ｄは、ダイクロイックミラー２２ｅによる反射光の光軸上に配置されている。
【００２３】
このＸＹアライメント視標投影系２２では、アライメント用光源２２ａから赤外光を出力させる。この赤外光は、集光レンズ２２ｂで集光しつつ開口絞り２２ｃを通過し、ピンホール板２２ｄに導かれる。ピンホール板２２ｄを通過した光束は、ダイクロイックミラー２２ｅにより反射され、投影レンズ２２ｆにより平行光束にされ、ハーフミラー２１ａで反射されて、光軸Ｏ１に沿って被検眼Ｅに照射される。ＸＹアライメント視標投影系２２は、この照射光をＸＹ方向のアライメントを行うためのＸＹアライメント視標光として用いる。
【００２４】
固視標投影系２３は、固視標用光源２３ａと、ピンホール板２３ｂと、ダイクロイックミラー２２ｅと、投影レンズ２２ｆと、によって構成されている。これら各部材（固視標用光源２３ａ、ピンホール板２３ｂ、ダイクロイックミラー２２ｅ、投影レンズ２２ｆ）は、ハーフミラー２１ａにより光軸Ｏ１から分岐された光軸上に配置されている。
【００２５】
固視標投影系２３では、固視標用光源２３ａから可視光を出力させる。この可視光は、ピンホール板２３ｂとダイクロイックミラー２２ｅを通過し、投影レンズ２２ｆにより平行光束にされ、ハーフミラー２１ａで反射されて、光軸Ｏ１に沿って被検眼Ｅの眼底に投射される。固視標投影系２３は、この投射光を固視標として用いる。
【００２６】
ＸＹアライメント検出系２４は、ハーフミラー２１ｄと、光センサ２４ａと、によって構成されている。光センサ２４ａは、たとえばＰＳＤ（Ｐｏｓｉｔｉｏｎ  Ｓｅｎｓｉｔｉｖｅ  Ｄｅｔｅｃｔｏｒ）のように位置検出が可能なセンサである。また、光センサ２４ａは、ハーフミラー２１ｄにより光軸Ｏ１から分岐された光軸上に配置されている。
【００２７】
ＸＹアライメント検出系２４では、角膜Ｅｃ（の表面）で反射したＸＹアライメント視標光のうち、ハーフミラー２１ｄで分割して反射された成分を光センサ２４ａで受光し、光センサ２４ａの受光面に輝点像Ｔ１を形成する。また、角膜Ｅｃ（の表面）で反射したＸＹアライメント視標光のうち、ハーフミラー２１ｄを透過した成分は、ＣＣＤイメージセンサ２１ｅの受光面に輝点像Ｔ２を形成する。
【００２８】
演算部１４ａは、光センサ２４ａによる輝点像Ｔ１の検出結果に基づいて、角膜Ｅｃに対する検出部２０のＸＹ方向のズレを演算する。また、この演算部１４ａは、ＣＣＤイメージセンサ２１ｅによる輝点像Ｔ２の検出結果を、被検眼Ｅの前眼部像と共に表示部１５に表示する。それにより、検者は、ＸＹ方向のアライメントの状態を目視で確認できる。
【００２９】
角膜変形検出系２５は、ハーフミラー２１ｃと、ピンホール板２５ａと、光センサ２５ｂと、によって構成されている。ピンホール板２５ａ及び光センサ２５ｂは、ハーフミラー２１ｃにより光軸Ｏ１から分岐された光軸上に配置されている。
【００３０】
角膜変形検出系２５では、ハーフミラー２１ｃにより反射された光束を、ピンホール板２５ａを介して光センサ２５ｂにより検出する。光センサ２５ｂは、フォトダイオード等の光量検出が可能なセンサである。光センサ２５ｂは、ノズル４１から噴射された空気により圧平された状態の角膜Ｅｃによる反射光の光量を検出する。演算部１４ａは、この光センサ２５ｂの検出結果から角膜Ｅｃの変形量を求めることにより被検眼Ｅの眼圧値を求める。
【００３１】
このように、角膜変形検出系２５は、圧平された状態の角膜Ｅｃによる反射光を検出する光学系であるため、角膜Ｅｃの反射光の光軸が角膜変形検出系２５の主光軸となり、前眼部観察系２１の光軸Ｏ１に一致する。そのため、以下では「角膜変形検出系２５の主光軸Ｏ１」という。
【００３２】
そして、圧平された状態の角膜Ｅｃによる反射光は、ノズルユニット４０のノズル４１の内部を透過し、空気吹付ユニット３０の光学フィルタ３５を透過する。つまり、角膜変形検出系２５では、角膜Ｅｃの変形状態を検出するための主光軸Ｏ１上にノズル４１及び光学フィルタ３５が配置されている。
【００３３】
空気吹付ユニット３０は、図２に拡大して示すように、空気を貯留する空気圧縮室３１（チャンバー）と、圧力センサ３２と、空気圧縮駆動部３３（図１参照）と、図示しない制御部と、を有している。この空気吹付ユニット３０では、空気圧縮室３１内の圧力を圧力センサ３２によって検出する。圧力センサ３２は、検出した圧力に応じた信号を制御部に出力する。そして、空気吹付ユニット３０は、制御部の制御下で、空気圧縮駆動部３３によって空気圧縮室３１内の空気を圧縮することにより、ノズル４１から被検眼Ｅの角膜Ｅｃに向けて空気を吹き付ける。
【００３４】
なお、空気圧縮駆動部３３は、空気圧縮室３１に接続されたシリンダの内部で、コネクティングロッドを介して駆動機構に連結されたピストンを移動させ、空気圧縮室３１内の空気を圧縮する。また、空気吹付ユニット３０は、圧力センサ３２で空気圧縮室３１内の圧力を検出することにより、ノズル４１から空気を吹き付けた際の圧力を取得することが可能とされている。なお、空気吹付ユニット３０は、圧力センサ３２を設けることに替えて、吹き付ける空気において、時間に対する圧力の変化が予め定められた特性とするものとしてもよい。
【００３５】
そして、空気圧縮室３１には、ノズル取付開口３４が形成されている。ノズル取付開口３４は、位置決め機構５０を介してノズルユニット４０が着脱可能に取り付けられる円形の開口である。このノズル取付開口３４は、角膜変形検出系２５の主光軸Ｏ１上に位置している。
【００３６】
さらに、この空気圧縮室３１には、ノズル取付開口３４に取り付けられたノズルユニット４０のノズル４１の吸込口４１ｂ（他端）に対向する位置に光学フィルタ３５（光学部材）が設けられている。ここで、ノズル取付開口３４が角膜変形検出系２５の主光軸Ｏ１上に配置されているため、この光学フィルタ３５も、角膜変形検出系２５の主光軸Ｏ１上に位置する。また、光学フィルタ３５は、透光性を有する透明なガラスによって形成されている。そのため、角膜変形検出系２５によって角膜Ｅｃの変形状態を検出する際、角膜Ｅｃによる反射光が透過する。
【００３７】
ノズルユニット４０は、図３に示すように、両端が開放した筒状のノズル４１と、ノズル４１を保持するノズル保持部材４２と、を有している。ノズル４１は、吸込口４１ｂが空気圧縮室３１内に連通し、被検眼Ｅに向けられた吐出口４１ａ（一端）から空気を噴射する。また、ノズル保持部材４２は、ノズル４１が貫通する透明なガラス製のガラス板４３と、ガラス板４３が嵌め込まれる金属製の筒状のホルダー４４と、ホルダー４４からガラス板４３の脱落を規制する金属製の押さえ部材４５と、を有している。
【００３８】
ここで、ノズル４１は、スペーサ４１ｃを介して円盤状のガラス板４３の中心に形成された貫通孔４３ａに差し込まれ、嵌合接着により固定されている。また、ホルダー４４は、一方の端部の周縁から中心に向かって突出し、ガラス板４３の一端面４３ｂに接する内向きフランジ４４ｂと、他方の端部の内周面に形成されたネジ溝４４ｃと、を有している。さらに、押さえ部材４５は、一部に切欠き４５ｂ（図４参照）を有するリング形状の金属板であり、ネジ溝４４ｃに螺合するネジ溝４５ｃが外周面に形成されている。
【００３９】
そして、ガラス板４３は、ホルダー４４の内側に差し込まれ、一端面４３ｂが内向きフランジ４４ｂに突き当てられる。このとき、ガラス板４３は、ホルダー４４に嵌合接着される。一方、押さえ部材４５は、ガラス板４３が差し込まれたホルダー４４にねじ込まれ、ガラス板４３の他端面４３ｃに接触させられる。なお、ここでは、図示しない治具等を切欠き４５ｂに差し込み、この治具等を用いて押さえ部材４５を回転させることで、押さえ部材４５をねじ込んでいく。
【００４０】
すなわち、このノズルユニット４０では、円盤状のガラス板４３の中心にノズル４１が貫通し、このガラス板４３の周縁部をホルダー４４及び押さえ部材４５によって挟持している。これにより、ノズル４１がノズル保持部材４２の中心を貫通し、ノズル４１の軸方向αがノズル保持部材４２の中心に一致する。
【００４１】
そして、このノズルユニット４０は、ノズル４１の軸方向αを角膜変形検出系２５の主光軸Ｏ１の方向に一致させる位置決め機構５０を介して、空気吹付ユニット３０に装着される。
【００４２】
実施例１では、位置決め機構５０は、図５に示すように、ノズル取付開口３４に装着されるコネクタ部５１と、ノズルユニット４０と空気吹付ユニット３０との間に配置されたスリーブ５２と、を備えている。
【００４３】
コネクタ部５１は、図６に示すように、両端が開放すると共に、中間部の外周面にフランジ部５１ａが形成された金属製の円筒状部材である。このコネクタ部５１は、図５に示すように、一端部５１ｂからノズル取付開口３４に差し込まれることで、ノズル取付開口３４に装着される。また、コネクタ部５１は、フランジ部５１ａがノズル取付開口３４の内側に形成された段差部３４ａに干渉することで、軸方向（Ｚ方向）の位置決めがなされる。さらに、このコネクタ部５１は、ノズル取付開口３４に装着した際、偏心調整機構等を用いて径方向の位置が調整され、軸方向βが角膜変形検出系２５の主光軸Ｏ１に一致される。
【００４４】
スリーブ５２は、図７Ａに示すように、両端が開放した円筒形状を呈すると共に、軸方向に延びるスリット５２ａが形成されている。このスリーブ５２は、セラミックスや金属等の弾性変形可能な材質によって形成され、スリット５２ａの幅が拡縮することで弾性変形して内径寸法が変動する。ここで、スリット５２ａは、スリーブ５２の一方の開口５２ｂから他方の開口５２ｃまでスリーブ５２の全長にわたって形成されて、スリーブ５２の周面を切断する切れ目である。しかしながら、スリット５２ａの形状はこれに限らない。例えば、図７Ｂに示すスリット５２ｘように、スリーブ５２の内周面５２ｄに形成された軸方向に延びるへこみであってもよい。このとき、へこみ形状のスリット５２ｘをスリーブ５２の中心を挟んで対称となる位置に二つ以上形成することで、コネクタ部５１に挿入したときの偏心を抑制することができる。
【００４５】
そして、この位置決め機構５０では、スリーブ５２の一方の開口５２ｂに、コネクタ部５１の他端部５１ｃが挿入され、スリーブ５２の他方の開口５２ｃに、ノズルユニット４０のノズル保持部材４２が挿入される。
【００４６】
次に、実施例１の眼科装置１０における作用を説明する。
【００４７】
実施例１の眼科装置１０では、被検眼Ｅの角膜Ｅｃに対し、空気吹付ユニット３０からノズルユニット４０のノズル４１を介して空気を吹き付ける。そして、角膜変形検出系２５によって、空気が吹き付けられたときの角膜Ｅｃによる反射光の光量を検出し、演算部１４ａによって、検出結果から角膜Ｅｃの変形量を求めることにより被検眼Ｅの眼圧値を求める。
【００４８】
ここで、角膜Ｅｃへの空気の吹き付けにより、涙等の飛散した分泌物の一部がノズル４１の吐出口４１ａから空気圧縮室３１内に流入し、光学フィルタ３５のノズル対向面３５ａに付着することがある。なお、ノズル対向面３５ａとは、光学フィルタ３５の両側面のうち、ノズル４１の吐出口４１ａに対向する面、つまり、空気圧縮室３１の内部に臨む面（内側面）である。光学フィルタ３５に分泌物が付着すると、この光学フィルタ３５の光透過率を下げ、測定に支障をきたすおそれがある。そのため、空気吹付ユニット３０からノズルユニット４０を取り外し、光学フィルタ３５のノズル対向面３５ａを清掃したいという要求がある。
【００４９】
一方、ノズル４１及び空気吹付ユニット３０の光学フィルタ３５は、角膜変形検出系２５の主光軸Ｏ１上に配置されており、角膜Ｅｃによる反射光は、ノズル４１の内部を通過し、空気吹付ユニット３０の光学フィルタ３５を透過した後、ハーフミラー２１ｃにより反射されて光センサ２５ｂへと導かれる。そのため、ノズルユニット４０を装着したときには、ノズル４１の軸方向αを角膜変形検出系２５の主光軸Ｏ１に一致させる必要がある。
【００５０】
これに対し、実施例１の眼科装置１０では、ノズル４１の軸方向αを角膜変形検出系２５の主光軸Ｏ１に一致させる位置決め機構５０を介して、ノズルユニット４０が空気吹付ユニット３０に着脱可能に装着されている。
【００５１】
これにより、ノズルユニット４０を引っ張る等して空気吹付ユニット３０から取り外したときには、ノズル取付開口３４を開放することができる。このため、ノズル取付開口３４を介して光学フィルタ３５のノズル対向面３５ａにアクセスすることができ、光学フィルタ３５のノズル対向面３５ａを容易に清掃することが可能である。また、光学フィルタ３５の清掃後に再びノズルユニット４０をノズル取付開口３４に装着するときには、位置決め機構５０によって、ノズル４１の軸方向αが角膜変形検出系２５の主光軸Ｏ１に一致するように調整される。
【００５２】
これにより、ノズルユニット４０を空気吹付ユニット３０に対して着脱可能にすると共に、ノズル４１の軸方向αが角膜変形検出系２５の主光軸Ｏ１からずれることを防止できる。そして、ノズルユニット４０の着脱が、角膜変形検出系２５による角膜Ｅｃの反射光の検出に影響を与えることを防止できる。すなわち、実施例１の眼科装置１０では、光学フィルタ３５の清掃を容易に行うことができると共に、適切な眼圧値の測定を担保することができる。
【００５３】
なお、位置決め機構５０による「ノズル４１の軸方向αを角膜変形検出系２５の主光軸Ｏ１に一致させる」状態は、角膜変形検出系２５による角膜Ｅｃの反射光の検出に影響を与えない程度のずれを許容する。つまり、位置決め機構５０は、ノズル４１の軸方向αを角膜変形検出系２５の主光軸Ｏ１に対して完全に一致させてもよいし、角膜変形検出系２５による角膜Ｅｃの反射光の検出に影響を与えない程度（例えば数μｍ程度）ずれた状態としてもよい。
【００５４】
そして、実施例１の位置決め機構５０は、空気吹付ユニット３０の空気圧縮室３１に形成されたノズル取付開口３４に装着されるコネクタ部５１と、スリーブ５２と、を備えている。ここで、コネクタ部５１は、軸方向βが角膜変形検出系２５の主光軸Ｏ１に一致した状態でノズル取付開口３４に装着された円筒状部材である。一方、スリーブ５２は、両端が開放した円筒形状を呈し、軸方向に延びるスリット５２ａが形成されている。
【００５５】
そして、この位置決め機構５０では、まず、コネクタ部５１の一端部５１ｂをノズル取付開口３４に差し込み、ノズル取付開口３４にコネクタ部５１を装着する。このとき、予め空気吹付ユニット３０の取付位置を調整し、ノズル取付開口３４を角膜変形検出系２５の主光軸Ｏ１上に位置させる。そして、コネクタ部５１は、軸方向βが角膜変形検出系２５の主光軸Ｏ１に一致するように、偏心調整機構等を用いて径方向の位置が調整される。
【００５６】
次に、スリーブ５２を、一方の開口５２ｂ側からノズル取付開口３４に差し込み、この一方の開口５２ｂを、ノズル取付開口３４に装着されているコネクタ部５１の他端部５１ｃの奥まで挿入する。これにより、スリーブ５２がノズル取付開口３４に取り付けられる。
【００５７】
そして、スリーブ５２をノズル取付開口３４に取り付けてから、ノズルユニット４０をノズル取付開口３４内に差し込み、スリーブ５２の他方の開口５２ｃにノズルユニット４０のノズル保持部材４２を挿入する。このとき、スリーブ５２が弾性変形し、コネクタ部５１の外周面とノズル保持部材４２の外周面とが押さえつけられ、コネクタ部５１の軸方向βとノズル保持部材４２の中心とが一致する。
【００５８】
ここで、コネクタ部５１は、軸方向βが角膜変形検出系２５の主光軸Ｏ１に一致するように位置調整がなされている。これに対し、ノズル４１は、円盤状のノズル保持部材４２の中心を貫通し、ノズル４１の軸方向αがノズル保持部材４２の中心に一致している。そのため、位置決め機構５０において、スリーブ５２を利用してコネクタ部５１の軸方向βとノズル保持部材４２の中心とを一致させることで、ノズル４１の軸方向αを角膜変形検出系２５の主光軸Ｏ１に一致させることができる。これにより、位置決め機構５０は、簡易的な構造で、ノズル４１の軸方向αを角膜変形検出系２５の主光軸Ｏ１に一致させることができる。
【００５９】
また、図５に示す実施例１では、ノズル保持部材４２がスリーブ５２に対して圧入嵌合（若しくは嵌合）され、この嵌合力によって抜け止めがなされている。しかしながら、これ限らない。例えば、図８Ａに示すように、押しビスＮ１及び引きビスＮ２（ネジ部材）を介してノズル保持部材４２を空気吹付ユニット３０に固定してもよい。
【００６０】
この場合、図８Ａに示すように、ノズルユニット４０のホルダー４４の外周面には、径方向外側に延びる外向きフランジ４４ｄが形成される。この外向きフランジ４４ｄは、ノズル保持部材４２をスリーブ５２に差し込んだ際、ノズル取付開口３４の開口端面３４αに突き当てられる。
【００６１】
そして、この外向きフランジ４４ｄには、複数（例えば３カ所）のねじ穴４４ｅと、複数（例えば３カ所）の貫通孔４４ｆと、が形成される。ねじ穴４４ｅ及び貫通孔４４ｆは、いずれも外向きフランジ４４ｄを貫通しており、ねじ穴４４ｅの内周面にはネジ溝が形成されている。一方、ノズル取付開口３４の開口端面３４αには、ねじ穴４４ｅに対向する複数（例えば３カ所）の凹部３４ｅと、貫通孔４４ｆに対向する複数（例えば３カ所）のねじ凹部３４ｆが形成される。ねじ凹部３４ｆの内周面にはネジ溝が形成されている。なお、ねじ穴４４ｅ及び貫通孔４４ｆと、凹部３４ｅ及びねじ凹部３４ｆは、それぞれ等間隔を開けて交互に配置されることが好ましい。
【００６２】
さらに、押しビスＮ１は、外向きフランジ４４ｄに形成されたねじ穴４４ｅとねじ嵌合すると共に、先端が凹部３４ｅの底面に当接している。また、引きビスＮ２は、外向きフランジ４４ｄに形成された貫通孔４４ｆを貫通し、先端部がねじ凹部３４ｆにねじ嵌合する。
【００６３】
ここで、引きビスＮ２をねじ込むことで、ノズルユニット４０をスリーブ５２に圧入できる。また、押しビスＮ１をねじ込むことで、ノズルユニット４０をスリーブ５２から引き抜くことができる。つまり、押しビスＮ１及び引きビスＮ２（ネジ部材）を介してノズル保持部材４２をスリーブ５２に固定した場合では、ノズルユニット４０の着脱を容易に行うことができ、光学フィルタ３５の清掃作業の作業効率の向上を図ることができる。
【００６４】
さらに、図８Ｂに示すように、ノズル取付開口３４の外側に取り付けられる押さえ部材５５によってノズル保持部材４２を空気吹付ユニット３０に固定してもよい。
【００６５】
ここで、押さえ部材５５は、空気吹付ユニット３０のノズル取付開口３４が形成された部分を挿入可能な円筒部材であり、内周面にネジ溝５５ａが形成されると共に、一方の端部に内向きフランジ５５ｂが形成されている。この押さえ部材５５を用いてノズル保持部材４２を固定するには、まず、ノズル保持部材４２がコネクタ部５１の他端部５１ｃに突き当たるまで、ノズルユニット４０をスリーブ５２に挿入する。このとき、ノズル保持部材４２がノズル取付開口３４から突出するように空気吹付ユニット３０の形状が調整される。
【００６６】
ノズルユニット４０をスリーブ５２に挿入したら、押さえ部材５５に空気吹付ユニット３０のノズル取付開口３４が形成された部分を差し込み、押さえ部材５５を回転させて内周面に形成されたネジ溝５５ａを空気吹付ユニット３０の外周面に螺合させる。そして、内向きフランジ５５ｂがノズル保持部材４２に突き当たるまで押さえ部材５５をねじ込む。これにより、ノズル保持部材４２は、コネクタ部５１と押さえ部材５５の間に挟み込まれ、固定される。また、押さえ部材５５は、ねじ込み時と逆回転させれば簡単に外すことができ、押さえ部材５５を外すことで、ノズルユニット４０をノズル取付開口３４から引き出すことが可能である。この結果、ノズルユニット４０の着脱を容易に行うことができ、光学フィルタ３５の清掃作業の作業効率の向上を図ることができる。
【００６７】
なお、押さえ部材５５を複数のビスによって空気吹付ユニット３０に固定してもよい。この場合、押さえ部材５５の内向きフランジ５５ｂに複数（例えば三カ所）のビス貫通孔を形成し、ノズル取付開口３４の開口端に複数（例えば三カ所）のネジ穴を形成する。そして、ビス貫通孔を貫通する複数のビスを、ノズル取付開口３４の開口端のネジ穴に螺合させることで、押さえ部材５５を固定する。
【００６８】
なお、実施例１では、位置決め機構５０がノズル取付開口３４に装着されるコネクタ部５１と、軸方向に延びるスリット５２ａが形成されたスリーブ５２と、を備え、スリーブ５２にコネクタ部５１及びノズル保持部材４２を挿入することでノズル４１の軸方向αを角膜変形検出系２５の主光軸Ｏ１に一致させる例を示した。しかしながら、これに限らない。
【００６９】
例えば、図９に示す位置決め機構６０のように、ノズル保持部材４２に形成された第１テーパ面４２ｘと、ノズル取付開口３４に形成された第２テーパ面３４ｘと、を備えていてもよい。この場合、空気吹付ユニット３０の空気圧縮室３１に形成された円形のノズル取付開口３４と、角膜変形検出系２５の主光軸Ｏ１との相対的な位置関係を調整し、ノズル取付開口３４の中心を角膜変形検出系２５の主光軸Ｏ１上に位置させる。また、第１テーパ面４２ｘは、ホルダー４４の外周面に形成され、ホルダー４４は円錐状に形成されている。そして、第２テーパ面３４ｘが、少なくとも第１テーパ面４２ｘよりも広がるように設定され、ノズル取付開口３４にノズル保持部材４２を差し込み可能とする。
【００７０】
この位置決め機構６０では、図１０及び図１１に示すように、ノズル取付開口３４にノズル保持部材４２を差し込み、第１テーパ面４２ｘと第２テーパ面３４ｘとが接触することにより、ノズル４１の軸方向αを角膜変形検出系２５の主光軸Ｏ１に一致させる。
【００７１】
また、この場合、図９等に示すように、ノズル保持部材４２のホルダー４４に複数のネジ貫通孔４６ａを形成し、ノズル取付開口３４に内側にネジ溝を有するネジ挿入孔４６ｂを形成する。そして、ネジ貫通孔４６ａを貫通し、先端がネジ挿入孔４６ｂに螺合する取付ネジ４６（ネジ部材）を介して、ノズル保持部材４２がノズル取付開口３４に固定される。このため、取付ネジ４６を外すことでノズルユニット４０をノズル取付開口３４から簡単に取り外すことができる。つまり、ノズルユニット４０の着脱を容易に行うことができ、光学フィルタ３５の清掃作業の作業効率の向上を図ることができる。
【００７２】
さらに、このとき、図９に示すように、ノズル保持部材４２のホルダー４４の外周面に、ノズルユニット４０の差し込み方向に延びる凸条４７（係合部）を形成し、ノズル取付開口３４の内周面に凸条４７が係合する溝部３７（被係合部）を形成してもよい。
【００７３】
この場合、ノズル取付開口３４にノズルユニット４０が差し込まれたときに、凸条４７が溝部３７に係合する。これにより、ノズルユニット４０の周方向の回転を規制することができる。なお、凸条４７と溝部３７との間の隙間の大きさは、第１テーパ面４２ｘと第２テーパ面３４ｘとの接触によるノズル４１の軸方向αの位置合わせを阻害しない寸法に設定される。
【００７４】
さらに、図１２に示す位置決め機構７０のように、ノズル取付開口３４に装着されてノズルユニット４０のノズル保持部材４２を把持する把持部材７１を備えるものであってもよい。この把持部材７１は、両端が開放し、先端に向かって細くなる通路７２ａが内部に形成された筒状の本体部７２と、通路７２ａの内周面に沿って本体部７２から出没する複数のチャック爪７３と、回転することでチャック爪７３を出没移動させるナット部７４と、を有している。すなわち、把持部材７１は、いわゆるドリルチャックと同様の構成を有している。
【００７５】
そして、この把持部材７１は、チャック爪７３によってノズル保持部材４２の周縁部を把持する。ここで、ノズル取付開口３４に対する把持部材７１の位置調整がなされ、通路７２ａの中心が角膜変形検出系２５の主光軸Ｏ１に一致している。そのため、チャック爪７３によって把持された物体は、中心が角膜変形検出系２５の主光軸Ｏ１上に位置することになる。この結果、位置決め機構７０においても、簡易的な構造で、ノズル４１の軸方向αを角膜変形検出系２５の主光軸Ｏ１に一致させることができる。
【００７６】
また、実施例１では、ノズルユニット４０のノズル保持部材４２において、ガラス板４３の厚みとホルダー４４の厚みとをほぼ同じ寸法とする例を示した。しかしながら、これに限らない。例えば、押さえ部材４５が挿入されるホルダー４４の端部を、ノズル４１の吐出口４１ａ付近まで延長してもよい。この場合、ホルダー４４の厚みが拡大し、ノズル保持部材４２とスリーブ５２との軸方向の接触面積が増加する。このため、ノズルユニット４０が傾きにくくなり、ノズル４１の軸方向αと角膜変形検出系２５の主光軸Ｏ１との一致精度を向上させることができる。
【００７７】
（実施例２）
図１３に示す空気吹付ユニット３０Ａを有する実施例２の眼科装置１０Ａは、角膜Ｅｃに空気を吹き付けて圧平して被検眼Ｅの眼圧値を測定する非接触式の眼圧測定部を備えており、その基本的な構成は実施例１の眼科装置１０と同一である。すなわち、実施例２の眼科装置１０Ａは、角膜Ｅｃに空気を吹き付ける空気吹付ユニット３０Ａと、被検眼Ｅに向けられた一端から空気を噴射するノズル４１を有し、空気吹付ユニット３０Ａに着脱可能なノズルユニット４０Ａと、ノズル４１の吸込口（他端）４１ｂに対向する位置に設けられた透光性を有する光学フィルタ３５（光学部材）と、ノズル４１及び光学フィルタ３５が主光軸Ｏ１上に配置されると共に角膜Ｅｃの変形状態を検出する角膜変形検出系２５（測定光学系）と、ノズル４１の軸方向αを主光軸Ｏ１に一致させた状態で空気吹付ユニット３０Ａにノズルユニット４０Ａを装着可能とする位置決め機構５０と、を備えている。
【００７８】
ここで、被検眼Ｅに空気を吹き付けて眼圧値を測定する非接触式の眼科装置１０Ａでは、被検眼Ｅを圧平したときに涙等の分泌物が飛散し、飛散した分泌物がノズルユニット４０Ａの表面やノズル４１の内周面４１ｄに付着したり、ノズル４１を介して空気吹付ユニット３０Ａの内部に入り込んだりすることがある。分泌物には微生物が含まれていることがあり、分泌物が空気吹付ユニット３０Ａやノズルユニット４０Ａに付着することで、眼科装置１０Ａが微生物によって汚染されるという問題が生じる。
【００７９】
なお、微生物は、狭義の細菌（ブドウ球菌、大腸菌、サルモネラ菌、緑膿菌、コレラ菌、赤痢菌、炭疽菌、結核菌、ボツリヌス菌、破傷風菌、レンサ球菌等）、真菌又はカビ（白癬菌、カンジダ、アスペルギルス等）だけでなく、ウイルス（ノロウイルス、ロタウイルス、インフルエンザウイルス、アデノウイルス、コロナウイルス、麻疹ウイルス、風疹ウイルス、肝炎ウイルス、ヘルペスウイルス等）を含む。
【００８０】
これに対し、実施例２の眼科装置１０Ａでは、飛散した分泌物が付着する可能性がある部分となる空気吹付ユニット３０Ａの内部と、ノズルユニット４０Ａの表面と、ノズル４１の内周面４１ｃと、光学フィルタ３５（光学部材）のノズル対向面３５ａと、の少なくともいずれかに、抗菌性を有する材質によってコーティングを施している。ここで、「抗菌性」とは、微生物に対する防除作用（すなわち、微生物の増殖抑制、除去、不活性化作用）を示すことを意味する。
【００８１】
実施例２の眼科装置１０Ａでは、具体的に、少なくとも下記に列挙する部分のいずれかに対し、抗菌性を有する材質によるコーティング処理を施す。
・ノズル４１の吐出口４１ａに取り付けられるキャップ４８に設けられた前眼部窓ガラス４８ａの被検眼対向面４８ｂ
・ノズル４１の内周面４１ｄ
・ノズル４１が貫通するガラス板４３の他端面４３ｃ
・ノズル保持部材４２の表面
・光学フィルタ３５のノズル対向面３５ａ
・空気圧縮駆動部３３のシリンダ３３ａの内周面３３ｂ
・空気圧縮駆動部３３のシリンダ３３ａと空気圧縮室３１とを接続するチューブ３３ｃの内周面３３ｄ
【００８２】
なお、「前眼部窓ガラス４８ａ」とは、ノズル４１の吐出口４１ａが貫通するガラス製の板であり、「被検眼対向面４８ｂ」は、前眼部窓ガラス４８ａの被検眼Ｅに対向する面である。ノズル４１の吐出口４１ａは、前眼部窓ガラス４８ａに形成された貫通孔に差し込まれて固定される。また、「ガラス板４３の他端面４３ｃ」は、吐出口４１ａ側に向いた面である。また、「ノズル保持部材４２の表面」とは、例えばガラス板４３を保持するホルダー４４の表面（内周面及び外周面、端面）や、押さえ部材４５の表面である。また、シリンダ３３ａの内部で移動するピストン３３ｅの表面に抗菌性を有する材質によるコーティング処理を施してもよい。なお、ピストン３３ｅは、コネクティングロッド３３ｆを介して図示しない駆動機構（例えば、ロータリーソレノイド等）に接続されている。
【００８３】
さらに、コーティング処理は、コーティングを施す対象物（例えば、前眼部窓ガラス４８ａ等）の素材に応じて、撥水撥油性の高い防汚コーティングと、殺菌剤を含有させた親水コーティングと、殺菌剤を含有させた粘着コーティングと、のいずれかから選択して行う。すなわち、対象物がポリ塩化ビニル（ＰＶＣ）等の樹脂素材で形成されている場合には、粘着コーティングを選択する。また、対象物がガラス素材で形成されている場合には、防汚コーティング又は親水コーティングのいずれかを選択する。さらに、対象物がステンレス鋼等の金属素材で形成されている場合には、防汚コーティングと親水コーティングと粘着コーティングのいずれかを選択する。
【００８４】
なお、「防汚コーティング」は、対象物の表面に付着した水や油を弾くことで微生物の付着を防止するものである。防汚コーティングのためのコーティング材料は、例えば、シリコーン、シラン、フルオロアルキルシラン、フッ素樹脂等を使用することができる。また、「親水コーティング」は、水との親和性が高く、対象物の表面を水に濡れた状態にして微生物を捕捉するものである。親水コーティングのためのコーティング材料は、例えば、ポリビニルアルコール、ガラス、酸化チタン等の光触媒物質、ベタイン等の界面活性剤、アクリル等を使用することができる。さらに、「粘着コーティング」は、対象物の表面に粘着性を持たせて微生物を捕捉するものである。粘着コーティングのためのコーティング材料は、例えば、アクリル、ウレタン、ゴム、シリコーン、エラストマー等を使用することができる。そして、親水コーティング及び粘着コーティングは、殺菌剤を含有させることで捕捉した微生物を死滅或いは減少させることが可能となる。殺菌剤は、例えば銀（Ａｇ）、銅（Ｃｕ）、亜鉛（Ｚｎ）やこれらの化合物等の無機材料や、カテキン等の有機材料を使用することができる。
【００８５】
このように、眼科装置１０Ａのうち、飛散した分泌物が付着する可能性のある部分（空気吹付ユニット３０Ａの内部、ノズルユニット４０Ａの表面、ノズル４１の内周面４１ｄ、光学フィルタ３５のノズル対向面３５ａの少なくともいずれか）を、抗菌性を有する材質によってコーティングすることで、眼科装置１０Ａに分泌物が付着しても、微生物の増殖を抑制したり、微生物を除去したりできる。この結果、眼科装置１０Ａの汚れを低減し、汚染を防止することができる。
【符号の説明】
【００８６】
１０、１０Ａ    眼科装置
２５    角膜変形検出系（測定光学系）
３０、３０Ａ    空気吹付ユニット
３１    空気圧縮室（チャンバー）
３４    ノズル取付開口
３５    光学フィルタ（光学部材）
３５ａ  ノズル対向面
４０、４０Ａ    ノズルユニット
４１    ノズル
４１ａ  吐出口（一端）
４１ｂ  吸込口（他端）
４２    ノズル保持部材
４３    ガラス板
４４    ホルダー
４５    押さえ部材
５０    位置決め機構
５１    コネクタ部
５２    スリーブ
５２ａ  スリット
Ｅ      被検眼
Ｅｃ    角膜
Ｏ１    主光軸
α      ノズルの軸方向
【図１】
2022002677.tif 000003
【図２】
2022002677.tif 000004
【図３】
2022002677.tif 000005
【図４】
2022002677.tif 000006
【図５】
2022002677.tif 000007
【図６】
2022002677.tif 000008
【図７Ａ】
2022002677.tif 000009
【図７Ｂ】
2022002677.tif 000010
【図８Ａ】
2022002677.tif 000011
【図８Ｂ】
2022002677.tif 000012
【図９】
2022002677.tif 000013
【図１０】
2022002677.tif 000014
【図１１】
2022002677.tif 000015
【図１２】
2022002677.tif 000016
【図１３】
2022002677.tif 000017